(57)【特許請求の範囲】
【請求項１】
第１電線をその外周方向から所定の長さで覆う長尺の絶縁シートと、
一対の開閉アームを先端部に有する間接活線工具を用いて操作し、前記第１電線を前記絶縁シートの上から挟持できると共に、第２電線を挟持可能な間接活線工事用クリップと、を備える間接活線工事用クリップ付き絶縁シートであって、
前記間接活線工事用クリップは、
前記第１電線を挟持可能な挟持部、及び前記挟持部に連続し、前記間接活線工具によって把持される把持部を有する一対の帯板状の第１開閉部材と、
一対の前記挟持部の先端部を開閉可能に、一対の前記挟持部の基端部側を連結する連結部材と、
一対の前記挟持部の先端部が閉じる方向に力を付勢する第１付勢部材と、
基端部が前記挟持部の先端部と回転自在に連結し、先端部が前記挟持部の先端部から延設すると共に、前記第２電線を挟持可能な一対の帯板状の第２開閉部材と、
一対の前記第２開閉部材の先端部が閉じる方向に力を付勢する第２付勢部材と、を有し、
前記絶縁シートは、前記第１電線をその外周方向から導入可能に一対の前記挟持部の先端部に向かって開口するように、両端縁が一対の前記挟持部の先端部に連結され、折り曲げ端が一対の前記挟持部の基端部に向かって一対の前記挟持部の間に配置され、
一対の前記第２開閉部材は、一対の前記挟持部の先端部が閉じた状態で、一対の当該第２開閉部材の間に前記第２電線をその外周方向から導入可能な面取りを端縁に有する間接活線工事用クリップ付き絶縁シート。
【請求項２】
前記間接活線工事用クリップは、前記挟持部が延びる方向と略直交して配置され、前記挟持部の先端部の両翼に延びると共に、前記絶縁シートの端縁と回動自在に連結する棒状部材を更に備える請求項１記載の間接活線工事用クリップ付き絶縁シート。
【請求項３】
前記第２付勢部材は、コイル部が前記棒状部材を巻装し、一方の端部が前記挟持部の先端部に係止され、他方の端部が前記第２開閉部材の基端部に係止された、捩じりコイルばねである請求項２記載の間接活線工事用クリップ付き絶縁シート。
【請求項４】
前記絶縁シートは、前記挟持部の先端部を受け入れ可能な切り欠きと、前記棒状部材を挿入可能な筒部と、を端部に有する請求項２又は３記載の間接活線工事用クリップ付き絶縁シート。
【請求項５】
前記間接活線工事用クリップを少なくとも前記絶縁シートの長手方向の両端部に備える請求項１から４のいずれかに記載の間接活線工事用クリップ付き絶縁シート。
【請求項６】
請求項１から５のいずれかに記載の間接活線工事用クリップ付き絶縁シートに用いられる間接活線工事用クリップ。
【発明の詳細な説明】
【技術分野】
【０００１】
本発明は、間接活線工事用クリップ付き絶縁シートに関する。特に、絶縁操作棒などを用いて、無停電状態の高圧配電線を間接的に活線工事できる間接活線工事用クリップを備える間接活線工事用クリップ付き及び絶縁シートの構造に関する。
【背景技術】
【０００２】
間接活線工事用クリップは、絶縁操作棒などの間接活線工具に連結されて操作され、例えば、充電中の高圧配電線に被せた絶縁シートが間接活線工事中に高圧配電線から離脱しないように、把持できる。そして、間接活線工事用クリップは、絶縁シートを高圧配電線に仮固定することができる。
【０００３】
このような間接活線工事用クリップとしては、高圧配電線を挟持可能な一対の開閉部材の挟持面に緩やかに湾曲した大小の凹部を設け、比較的ラフな操作であっても、適用サイズの高圧配電線を大小の凹部のいずれかに把持できる間接活線工事用クリップが開示されている（例えば、特許文献１参照）。
【先行技術文献】
【特許文献】
【０００４】
【特許文献１】特開２００１−２７２０９号公報
【発明の概要】
【発明が解決しようとする課題】
【０００５】
図８は、特許文献１による間接活線工事用クリップの構成を示す正面図である。本願の図８は、特許文献１の図１に相当している。図８を参照すると、特許文献１による間接活線工事用クリップ（以下、クリップと略称する）９は、一対の帯板状の開閉部材９１・９２で構成している。一対の開閉部材９１・９２は、図示しない電線を挟持可能な挟持部９１ａ・９２ａと、図示しない絶縁操作棒によって把持される把持部９１ｂ・９２ｂに区分している。
【０００６】
図８を参照すると、クリップ９は、一対の挟持部９１ａ・９２ａの先端部を開閉可能に一対の開閉部材９１・９２を連結する連結部９ｃを有している。更に、クリップ９は、挟持部９１ａ・９２ａの先端部が閉じる方向に力を付勢する捩じりコイルばね９３を備えている。捩じりコイルばね９３の付勢力に抗して、一対の把持部９１ｂ・９２ｂを互いに近づけると、挟持部９１ａ・９２ａの先端部を開くことができる。一対の把持部９１ｂ・９２ｂを解放すると、捩じりコイルばね９３に付勢されて、挟持部９１ａ・９２ａの先端部を閉じることができる。
【０００７】
図８を参照すると、一対の挟持部９１ａ・９２ａを閉じた状態では、クリップ９は、綾目状の滑り止め加工を表面に施した一対の把持部９１ｂ・９２ｂの外面が略平行に形成されているので、あらゆる方向から間接活線工具でクリップ９を把持できる、としている。又、クリップ９は、図示しない電線を挟持可能な一対の開閉部材９１・９２の挟持面に緩やかに湾曲した大小の凹部９１１・９１２を設け、比較的ラフな操作であっても、適用サイズの高圧配電線を大小の凹部９１１・９１２のいずれかに把持できる、としている。
【０００８】
図９は、間接活線工事用クリップの使用例を示す斜視図である。図９を参照すると、電柱の上部には、複数の高圧配電線Ｗｈを架設している。これらの高圧配電線Ｗｈは、引下げ線Ｗとなって分岐されている。引下げ線Ｗは、上部腕金Ａ１に取り付けた碍子Ｇ１と、下部腕金Ａ２に取り付けた碍子Ｇ２に支持された後に、カットアウトを介して変圧器Ｔに接続している。
【０００９】
図９を参照して、間接活線工法により変圧器Ｔを吊り替える場合には、碍子Ｇ１と碍子Ｇ２間の引下げ線Ｗに二つ折りにした長尺の絶縁シートＳを被せている。次に、図示しない絶縁操作棒を用いて、絶縁シートＳの上端部及び下端部をクリップ９ｔで絶縁シートＳの上から引下げ線Ｗを仮固定している。
【００１０】
更に、図９を参照して、高圧配電線Ｗｈとの接続を解除された引下げ線Ｗの縁線Ｗｅは、碍子Ｇ１から反転するように、絶縁シートＳに沿って配置される。次に、図示しない絶縁操作棒を用いて、クリップ９（図８参照）で絶縁シートＳの上から縁線Ｗｅを仮固定している。
【００１１】
このように、従来の間接活線工事用クリップは、絶縁シートＳで覆われた引下げ線Ｗを絶縁シートＳの上から挟持すると共に、絶縁シートＳの上に縁線Ｗｅを仮固定していた。この場合、絶縁シートＳの上から縁線Ｗｅを間接活線工事用クリップで確実に挟持することが困難であった。又、絶縁操作棒を用いて、作業員の一人が縁線Ｗｅを保持し、別の作業員の一人が絶縁操作棒を用いて、間接活線工事用クリップで絶縁シートＳと共に縁線Ｗｅを挟持する必要があった。
【００１２】
図９を参照して、絶縁シートＳからクリップ９ｔを取り外して、縁線Ｗｅを絶縁シートＳの内部に取り込み、引下げ線Ｗ及び縁線Ｗｅを絶縁シートＳの上からクリップ９ｔで再度、挟持する方法も考えられる。しかし、絶縁シートＳに覆われて、縁線Ｗｅの位置を確認することが困難であり、絶縁シートＳからクリップ９ｔを取り外すため、引下げ線Ｗに対して、絶縁シートＳの位置がずれる心配があった。
【００１３】
引下げ線を覆う絶縁シートから間接活線工事用クリップを取り外すことなく、引下げ線の縁線を確実に支持できる操作性に優れた間接活線工事用クリップ付き絶縁シートが求められている。そして、以上のことが本発明の課題といってよい。
【００１４】
本発明は、このような問題に鑑みてなされたものであり、引下げ線を覆う絶縁シートを仮固定すると共に、引下げ線の縁線を確実に支持できる操作性に優れた間接活線工事用クリップ付き絶縁シートを提供することを目的とする。
【課題を解決するための手段】
【００１５】
本発明者は、引下げ線を挟持可能な挟持部、及び間接活線工具によって把持される把持部を有する一対の第１開閉部材の間に予め絶縁シートを折り畳み可能に配置し、把持部を閉じたときは、挟持部を開いて絶縁シートに引下げ線を取り込むことができ、把持部を解放したときは、挟持部を閉じて引下げ線を絶縁シートで覆うことができ、引下げ線の縁線を挟持可能な一対の第２開閉部材を挟持部の先端部に延設し、引下げ線の縁線を一対の第２開閉部材の間に挿入すると、一対の第２開閉部材が開いて、引下げ線の縁線を挟持できるように構成することにより、これらの課題が解決可能なことを見出し、これに基づいて、以下のような新たな間接活線工事用クリップ付き絶縁シートを発明するに至った。
【００１６】
（１）本発明による間接活線工事用クリップ付き絶縁シートは、第１電線をその外周方向から所定の長さで覆う長尺の絶縁シートと、一対の開閉アームを先端部に有する間接活線工具を用いて操作し、前記第１電線を前記絶縁シートの上から挟持できると共に、第２電線を挟持可能な間接活線工事用クリップと、を備える間接活線工事用クリップ付き絶縁シートであって、前記間接活線工事用クリップは、前記第１電線を挟持可能な挟持部、及び前記挟持部に連続し、前記間接活線工具によって把持される把持部を有する一対の帯板状の第１開閉部材と、一対の前記挟持部の先端部を開閉可能に、一対の前記挟持部の基端部側を連結する連結部材と、一対の前記挟持部の先端部が閉じる方向に力を付勢する第１付勢部材と、基端部が前記挟持部の先端部と回転自在に連結し、先端部が前記挟持部の先端部から延設すると共に、前記第２電線を挟持可能な一対の帯板状の第２開閉部材と、一対の前記第２開閉部材の先端部が閉じる方向に力を付勢する第２付勢部材と、を有し、前記絶縁シートは、前記第１電線をその外周方向から導入可能に一対の前記挟持部の先端部に向かって開口するように、両端縁が一対の前記挟持部の先端部に連結され、折り曲げ端が一対の前記挟持部の基端部に向かって一対の前記挟持部の間に配置され、一対の前記第２開閉部材は、一対の前記挟持部の先端部が閉じた状態で、一対の当該第２開閉部材の間に前記第２電線をその外周方向から導入可能な面取りを端縁に有する。
【００１７】
（２）前記間接活線工事用クリップは、前記挟持部が延びる方向と略直交して配置され、前記挟持部の先端部の両翼に延びると共に、前記絶縁シートの端縁と回動自在に連結する棒状部材を更に備えることが好ましい。
【００１８】
（３）前記第２付勢部材は、コイル部が前記棒状部材を巻装し、一方の端部が前記挟持部の先端部に係止され、他方の端部が前記第２開閉部材の基端部に係止された、捩じりコイルばねであることが好ましい。
【００１９】
（４）前記絶縁シートは、前記挟持部の先端部を受け入れ可能な切り欠きと、前記棒状部材を挿入可能な筒部と、を端部に有することが好ましい。
【００２０】
（５）本発明による間接活線工事用クリップ付き絶縁シートは、前記間接活線工事用クリップを少なくとも前記絶縁シートの長手方向の両端部に備えることが好ましい。
【００２１】
（６）本発明による間接活線工事用クリップは、間接活線工事用クリップ付き絶縁シートに用いられることが好ましい。
【発明の効果】
【００２２】
本発明による間接活線工事用クリップ付き絶縁シートは、第２電線となる引下げ線の縁線に向かって移動することで、第１電線となる引下げ線を覆う絶縁シートから間接活線工事用クリップを取り外すことなく、第２電線となる引下げ線の縁線を確実に支持できるので、操作性に優れている。
【図面の簡単な説明】
【００２３】
【図１】本発明の一実施形態による間接活線工事用クリップ付き絶縁シートの構成を示す斜視分解組立図である。
【図２】前記実施形態による間接活線工事用クリップ付き絶縁シートの構成を示す正面図であり、一対の第１及び第２開閉部材が閉じた状態図である。
【図３】前記実施形態による間接活線工事用クリップ付き絶縁シートの構成を示す平面図である。
【図４】前記実施形態による間接活線工事用クリップ付き絶縁シートに備わる間接活線工事用クリップの構成を示す図であり、図４（Ａ）は、連結部を覆うバンド部材を断面で示した間接活線工事用クリップの正面図、図４（Ｂ）は、連結部を覆うバンド部材を断面で示した間接活線工事用クリップの平面図である。
【図５】前記実施形態による間接活線工事用クリップ付き絶縁シートの構成を示す正面図であり、一対の挟持部を開いた状態図である。
【図６】前記実施形態による間接活線工事用クリップ付き絶縁シートの構成を示す正面図であり、一対の第２開閉部材が開いた状態図である。
【図７】前記実施形態による間接活線工事用クリップ付き絶縁シートに備わる間接活線工事用クリップを間接活線工具で把持した状態を示す正面図である。
【図８】従来技術による間接活線工事用クリップの正面図である。
【図９】従来技術による間接活線工事用クリップの使用例を示す斜視図である。
【発明を実施するための形態】
【００２４】
以下、図面を参照して本発明を実施するための形態を説明する。
［間接活線工事用クリップ付き絶縁シートの構成］
最初に、本発明の一実施形態による間接活線工事用クリップ付き絶縁シートの構成を説明する。なお、第１電線を碍子Ｇ１と碍子Ｇ２の間に配線された引下げ線Ｗとし、第２電線を引下げ線の縁線Ｗｅとして（図９参照）、以下説明する。
【００２５】
図１は、本発明の一実施形態による間接活線工事用クリップ付き絶縁シートの構成を示す斜視分解組立図である。図２は、前記実施形態による間接活線工事用クリップ付き絶縁シートの構成を示す正面図であり、一対の第１及び第２開閉部材が閉じた状態図である。図３は、前記実施形態による間接活線工事用クリップ付き絶縁シートの構成を示す平面図である。
【００２６】
図４は、前記実施形態による間接活線工事用クリップ付き絶縁シートに備わる間接活線工事用クリップの構成を示す図であり、図４（Ａ）は、連結部を覆うバンド部材を断面で示した間接活線工事用クリップの正面図、図４（Ｂ）は、連結部を覆うバンド部材を断面で示した間接活線工事用クリップの平面図である。
【００２７】
（全体構成）
図１から図４を参照すると、本発明の一実施形態による間接活線工事用クリップ付き絶縁シート（以下、絶縁シートと略称する）１００は、長尺の絶縁シート５０と間接活線工事用クリップ（以下、クリップと略称する）１０を備えている。
【００２８】
図１から図４を参照すると、絶縁シート５０は、第１電線となる引下げ線Ｗをその外周方向から所定の長さで覆うことができる。クリップ１０は、第２電線となる引下げ線の縁線Ｗｅを絶縁シート５０の上から挟持できる（図６参照）。又、クリップ１０は、後述する間接活線工具となる絶縁操作棒８０（図８参照）を用いて、操作できる。
【００２９】
（間接活線工事用クリップの構成）
（第１開閉部材の構成）
図１から図３を参照すると、クリップ１０は、一対の帯板状の第１開閉部材１・２、連結部材６ｐ、及び第１付勢部材となる捩じりコイルばね６ｓを備えている。一対の第１開閉部材１・２は、絶縁性を有する硬質の合成樹脂からなり、長尺の帯板状に成形している。一対の第１開閉部材１・２は、引下げ線Ｗを挟持可能な挟持部１ａ・２ａと、絶縁操作棒８０（図７参照）によって把持される把持部１ｂ・２ｂに区分している。
【００３０】
図１から図５を参照すると、連結部材６ｐは、実体として、一対の第１開閉部材１・２の幅方向に挿通された連結ピンである。そして、この連結ピンが一対の第１開閉部材１・２から離脱しないように、連結部の周囲をゴムからなる環状のバンド部材６ｇで覆っている（図４（Ｂ）参照）。このように、連結部材６ｐは、一対の挟持部１ａ・２ａの先端部を開閉可能に、一対の挟持部１ａ・２ａの基端部側を連結している。
【００３１】
図１から図４を参照すると、捩じりコイルばね６ｓは、連結部材６ｐ及び一対の把持部１ｂ・２ｂに内装されている。捩じりコイルばね６ｓは、一対の挟持部１ａ・２ａの先端部が閉じる方向に力を付勢している。そして、捩じりコイルばね６ｓの付勢力に抗して、一対の把持部１ｂ・２ｂを互いに近づけると、挟持部１ａ・２ａの先端部を開くことができる（図５参照）。一方、一対の把持部１ｂ・２ｂを解放すると、捩じりコイルばね６ｓに付勢されて、一対の挟持部１ａ・２ａの先端部を閉じることができる（図１又は図４（Ａ）参照）。
【００３２】
図１から図４を参照すると、クリップ１０は、綾目状の滑り止め加工１ｒ・２ｒを一対の把持部１ｂ・２ｂの外面に施している。これにより、後述する絶縁操作棒８０の先端部に設けた一対の開閉アーム８１ａ・８２ａで確実に把持できる（図７参照）。
【００３３】
図１から図４を参照すると、一方の第１開閉部材１は、緩やかに湾曲した円弧溝１１を挟持部１ａの内壁に形成している。同様に、他方の第１開閉部材２は、緩やかに湾曲した円弧溝２１を挟持部２ａの内壁に形成している。後述する絶縁シート５０を介して、円弧溝１１と円弧溝２１の間に、引下げ線Ｗを導入して、一対の開閉部材１・２を閉じることで、絶縁シート５０で覆って挟持できる。
【００３４】
又、図２又は図４を参照すると、一対の挟持部１ａ・２ａは、円弧溝１１及び円弧溝２１に連続して、凹部１２及び凹部２２を設けている。一対の開閉部材１・２を閉じると、一対の凹部１２・２２の間に、後述する絶縁シート５０の折り曲げ部を保持できる。
【００３５】
（絶縁シートの構成）
図１から図４を参照すると、絶縁シート１００は、長尺の絶縁シート５０と一組の棒状部材３ｐ・３ｐを備えている。絶縁シート５０は、一対の挟持部１ａ・２ａの間に配置されている（図５参照）。絶縁シート５０は、引下げ線Ｗをその外周方向から導入可能に、一対の挟持部１ａ・２ａの先端部に向かって開口できるように、両端縁が一対の挟持部１ａ・２ａの先端部に連結されている。又、絶縁シート５０は、折り曲げ端が一対の挟持部１ａ・２ａの基端部に向かっている（図２又は図５参照）。
【００３６】
図１から図４を参照すると、棒状部材３ｐは、一対の挟持部１ａ・２ａの先端部に取り付けられている。棒状部材３ｐは、一対の挟持部１ａ・２ａが延びる方向と略直交して配置されている。又、棒状部材３ｐは、一対の挟持部１ａ・２ａの先端部の両翼に延びている。
【００３７】
一方、図１から図４を参照すると、絶縁シート５０は、切り欠き５１と筒部５２を端部に有している。切り欠き５１には、一対の挟持部１ａ・２ａの先端部を受け入れることができる。筒部５２には、棒状部材３ｐを挿入できる。
【００３８】
引き続き、実施形態による絶縁シート１００の構成を説明する。図５は、前記実施形態による間接活線工事用クリップ付き絶縁シートの構成を示す正面図であり、一対の挟持部を開いた状態図である。図６は、前記実施形態による間接活線工事用クリップ付き絶縁シートの構成を示す正面図であり、一対の第２開閉部材が開いた状態図である。
【００３９】
（第２開閉部材の構成）
図１から図６を参照すると、クリップ１０は、一対の帯板状の第２開閉部材３・４と一組の第２付勢部材となる捩じりコイルばね３ｓ・３ｓを更に備えている。一対の第２開閉部材３・４は、絶縁性を有する硬質の合成樹脂からなり、長尺の帯板状に成形している。一方の第２開閉部材３は、その基端部が棒状部材３ｐを介して、挟持部１ａの先端部と回転自在に連結している。同様に、他方の第２開閉部材４は、その基端部が棒状部材３ｐを介して、挟持部２ａの先端部と回転自在に連結している。
【００４０】
図１から図６を参照すると、一方の第２開閉部材３は、その先端部が挟持部１ａの先端部から延設している。同様に、他方の第２開閉部材４は、その先端部が挟持部２ａの先端部から延設している。捩じりコイルばね３ｓは、そのコイル部が棒状部材３ｐを巻装している。又、捩じりコイルばね３ｓは、一方の端部が挟持部１ａ又は挟持部２ａの先端部に係止され、他方の端部が第２開閉部材３又は第２開閉部材４の基端部に係止されている。捩じりコイルばね３ｓは、一対の第２開閉部材３・４の先端部が閉じる方向に力を付勢している。
【００４１】
図４から図６を参照すると、一方の第２開閉部材３は、緩やかに湾曲した円弧溝３１を内壁に形成している。同様に、他方の第２開閉部材４は、緩やかに湾曲した円弧溝４１を内壁に形成している。一対の円弧溝３１・４１の間に引下げ線の縁線Ｗｅを導入して（図６参照）、一対の第２開閉部材３・４を閉じることで、引下げ線の縁線Ｗｅを挟持できる。
【００４２】
図１又は図２及び図４から図６を参照すると、一方の第２開閉部材３は、傾斜した面取り３２を端縁に有している。同様に、他方の第２開閉部材４は、傾斜した面取り４２を端縁に有している。一対の第２開閉部材３・４は、一対の挟持部１ａ・２ａの先端部が閉じた状態で、一対の第２開閉部材３・４の間に、引下げ線の縁線Ｗｅをその外周方向から導入できる。そして、一対の第２開閉部材３・４を閉じることで、一対の円弧溝３１・４１の間に引下げ線の縁線Ｗｅを挟持できる。
【００４３】
［間接活線工事用クリップ付き絶縁シートの作用］
次に、実施形態による絶縁シート１００の構成を補足すると共に、絶縁シート１００の操作方法を説明しながら、絶縁シート１００の作用及び効果を説明する。図７は、前記実施形態による間接活線工事用クリップ付き絶縁シートに備わる間接活線工事用クリップを間接活線工具で把持した状態を示す正面図である。
【００４４】
（絶縁操作棒の構成）
図７を参照すると、間接活線工具となる絶縁操作棒８０（いわゆる、絶縁ヤットコ）は、長尺の主操作棒８１と補助操作棒８２を備えている。補助操作棒８２は、主操作棒８１に併設されている。主操作棒８１の先端部には、一対の円弧状の開閉アーム８１ａ・８２ａを取り付けている。一方の開閉アーム８１ａを固定アームとし、他方の開閉アーム８２ａを可動アームで構成している。一方の開閉アーム８１ａに対して、他方の開閉アーム８２ａが回動可能に連結している。
【００４５】
図７を参照すると、開閉アーム８２ａには、補助操作棒８２の先端部が連結している。主操作棒８１の手許部に設けた操作レバー（図示せず）を操作すると、主操作棒８１に対して、補助操作棒８２を進退できる。補助操作棒８２を一方の方向に移動すると、開閉アーム８１ａの先端部８１１に対して、開閉アーム８２ａの先端部８２１を開くことができる。補助操作棒８２を他方の方向に移動すると、開閉アーム８１ａの先端部８１１に対して、開閉アーム８２ａの先端部８２１を閉じることができる。
【００４６】
図７を参照して、クリップ１０を絶縁操作棒８０に取り付ける場合は、開閉アーム８１ａの先端部８１１に対して、開閉アーム８２ａの先端部８２１を閉じて、一対の把持部１ｂ・２ｂを外側から挟むことができる（図４参照）。一対の挟持部１ａ・２ａを閉じた状態では、クリップ１０は、綾目状の滑り止め加工１ｒ・２ｒ（図１又は図４参照）を表面に施した一対の把持部１ｂ・２ｂの外面が略平行に形成されているので、あらゆる方向から絶縁操作棒８０でクリップ１０を把持できる。
【００４７】
図７に示された状態から、開閉アーム８１ａの先端部８１１に対して、開閉アーム８２ａの先端部８２１を更に閉じると、一対の挟持部１ａ・２ａ及び一対の第２開閉部材３・４を開くことができる（図５参照）。そして、一対の挟持部１ａ・２ａが開いた状態を維持しながら、引下げ線Ｗに向かってクリップ１０を移動し、主操作棒８１の手許部に設けた操作レバー（図示せず）を操作し、一対の挟持部１ａ・２ａを閉じることで、引下げ線Ｗ又は引下げ線Ｗを覆う絶縁シート（図示せず）を挟持できる。
【００４８】
図７に示された状態から、開閉アーム８１ａの先端部８１１に対して、開閉アーム８２ａの先端部８２１を更に閉じると、一対の挟持部１ａ・２ａを開くことができる（図５参照）。そして、一対の挟持部１ａ・２ａが開いた状態を維持しながら、引下げ線Ｗに向かってクリップ１０を移動し、主操作棒８１の手許部に設けた操作レバー（図示せず）を操作し、一対の挟持部１ａ・２ａを閉じることで、引下げ線Ｗを絶縁シート５０で覆うと共に絶縁シート５０の上から引下げ線Ｗを挟持できる（図２又は図６参照）。
【００４９】
次に、図２に示されるように、一対の挟持部１ａ・２ａの先端部が閉じた状態で、一対の面取り３２・４２の間に、引下げ線の縁線Ｗｅをその外周方向から移動すると、一対の第２開閉部材３・４の先端部が開いて（図６参照）、引下げ線の縁線Ｗｅを一対の第２開閉部材３・４の間に、引下げ線の縁線Ｗｅをその外周方向から導入できる。そして、一対の第２開閉部材３・４を閉じることで、一対の円弧溝３１・４１の間に引下げ線の縁線Ｗｅを挟持できる。一対の第２開閉部材３・４から引下げ線の縁線Ｗｅを引き抜くことで、クリップ１０から引下げ線の縁線Ｗｅを解放できる。
【００５０】
このように、実施形態による絶縁シート１００は、引下げ線の縁線Ｗｅに向かってクリップ１０を相対的に移動することで、引下げ線Ｗを覆う絶縁シート５０から間接活線工事用クリップを取り外すことなく、引下げ線の縁線Ｗｅを確実に支持できるので、操作性に優れている。
【００５１】
図２を参照して、実施形態による絶縁シート１００は、クリップ１０を少なくとも絶縁シート５０の長手方向の両端部に備えることが、引下げ線Ｗを確実に覆うと共に仮固定できるので好ましい。
【００５２】
本発明による間接活線工事用クリップ付き絶縁シートは、次のような効果が奏される。
（１）引下げ線を絶縁シートで覆っていても、引下げ線の縁線に確実に仮固定できる。
（２）引下げ線の縁線を仮固定するために、別のクリップを用意する必要がない。
（３）作業員が一人で引下げ線の縁線を仮固定できる。
（４）引下げ線を覆う絶縁シートからクリップを取り外す必要がないので、絶縁シートの位置がずれる心配が無くなる。
【００５３】
本発明は、絶縁操作棒などを用いて、無停電状態の高圧配電線を間接的に活線工事できる間接活線工事用クリップ付き絶縁シートを開示したが、本発明に用いた間接活線工事用クリップは、間接活線工事用に限定されることなく、他の分野でも応用されることが期待される。
【符号の説明】
【００５４】
１・２  一対の第１開閉部材
１ａ・２ａ  一対の挟持部
１ｂ・２ｂ  一対の把持部
３・４  一対の第２開閉部材
３ｐ  棒状部材
３ｓ  捩じりコイルばね（第２付勢部材）
６ｐ  連結部材
６ｓ  捩じりコイルばね（第１付勢部材）
１０  クリップ（間接活線工事用クリップ）
３２  面取り
４２  面取り
５０  絶縁シート
８０  絶縁操作棒（間接活線工具）
８１ａ・８２ａ  一対の開閉アーム
１００  絶縁シート（間接活線工事用クリップ付き絶縁シート）
Ｗ  引下げ線（第１電線）
Ｗｅ  引下げ線の縁線（第２電線）
【要約】
【課題】引下げ線の縁線を確実に支持できる間接活線工事用クリップ付き絶縁シートを提供する。
【解決手段】クリップ１０は、一対の第１開閉部材１・２と一対の第２開閉部材３・４を備える。第１開閉部材１・２は、一対の開閉アームを先端部に有する絶縁操作棒８０を用いて操作し、引下げ線Ｗを絶縁シート５０で覆って挟持できる。一対の第２開閉部材３・４は、基端部が第１開閉部材１・２の先端部と回転自在に連結し、先端部が第１開閉部材１・２の先端部から延設すると共に、引下げ線の縁線Ｗｅを挟持できる。一対の第１開閉部材１・２が閉じた状態で、一対の第２開閉部材３・４の端縁に設けた面取り３２・４２の間に引下げ線の縁線Ｗｅを挿入すると、一対の第２開閉部材３・４の間に引下げ線の縁線Ｗｅを仮固定できる。
【選択図】図１【図１】
0005461676.tif 000002
【図２】
0005461676.tif 000003
【図３】
0005461676.tif 000004
【図４】
0005461676.tif 000005
【図５】
0005461676.tif 000006
【図６】
0005461676.tif 000007
【図７】
0005461676.tif 000008
【図８】
0005461676.tif 000009
【図９】
0005461676.tif 000010